(57)【要約】【課題】  基礎構造の施工コストを下げ、工期を短縮するとともに、対象とする地盤が軟弱であったとしても杭打ち作業を必要としない、強度安定性の高い基礎構造を提供することを課題とする。【解決手段】  三角形、矩形、又はその他の多角形状、あるいは格子状に一体成型された枠状部材からなる基礎用コンクリートブロックであって、枠体を構成する複数のフレーム部材と、フレーム部材の下面に設けられ、下方に伸びる、少なくとも１つの突起部とから構成される基礎用コンクリートブロックとした。【選択図】図１
2015031147.tif 000002
【特許請求の範囲】
【請求項１】
三角形、矩形、又はその他の多角形状、あるいは格子状に一体成型された枠状部材からなる基礎用コンクリートブロックであって、
枠体を構成する複数のフレーム部材と、
当該フレーム部材の下面に設けられ、下方に伸びる、少なくとも１つの突起部と
からなる基礎用コンクリートブロック。
【請求項２】
請求項１に記載された基礎用コンクリートブロックにおいて、
前記突起部は、円柱状、角柱状、円錐状、角錐状、半球状、十字状、鼓状、逆角錐状、逆円錐状の突起であることを特徴とする基礎用コンクリートブロック。
【請求項３】
請求項１および２に記載された基礎用コンクリートブロックを複数個横方向に連結することにより構成される平面状基礎構造。
【請求項４】
請求項３に記載された平面状基礎構造において、前記枠状部材からなる基礎用コンクリートブロックの内部空間に透水性を有する材料を充填したことを特徴とする平面状基礎構造。
【発明の詳細な説明】
【技術分野】
【０００１】  本発明は、建築構造物や道路、水路の護岸、擁壁構造等の基礎地盤の強化安定のために使用される基礎用コンクリートブロック、並びに基礎用コンクリートブロックを使用した平面状基礎構造に係るものである。
【背景技術】
【０００２】  建築構造物や道路、水路の護岸、擁壁構造等の基礎地盤の強化安定のために設けられる一般的な基礎構造としては、対象とする地盤を掘削し、その掘削部に骨材や砂利を入れて締め固めた後、コンクリートを所要厚さに打設して地盤を強化安定させる基礎構造が採用されている。【０００３】  しかし、このような現場でのコンクリート打設による基礎構造の場合、対象とする地盤の軟弱度合が大きいときには、地盤を大きく掘削し、しかも大量の骨材や砂利、コンクリートが必要になる。  また、場合によっては杭打ち作業が必要になることがあるため、基礎構造の施工コストが高くなるという問題がある。【０００４】  しかも、全て現場作業により基礎構造を施工することが必要なため、工期も長くなってしまうという問題もある。
【発明の概要】
【発明が解決しようとする課題】
【０００５】  本発明はかかる問題に鑑みなされたものであり、基礎構造の施工コストを下げ、工期を短縮するとともに、対象とする地盤が軟弱であったとしても杭打ち作業を必要としない、強度安定性の高い基礎構造を提供することを課題とするものである。
【課題を解決するための手段】
【０００６】  かかる課題を解決するために、本発明の第１の観点に係る発明では、
三角形、矩形、又はその他の多角形状、あるいは格子状に一体成型された枠状部材からなる基礎用コンクリートブロックであって、
枠体を構成する複数のフレーム部材と、フレーム部材の下面に設けられ、下方に伸びる、少なくとも１つの突起部とから構成される基礎用コンクリートブロックとした。【０００７】  また、本発明の第２の観点に係る発明では、
本発明の第２の観点に係る発明の基礎用コンクリートブロックにおいて、
突起部は、円柱状、角柱状、円錐状、角錐状、半球状、十字状、鼓状、逆角錐状、逆円錐状の突起である構成の基礎用コンクリートブロックとした。【０００８】  更に、本発明の第３の観点に係る発明では、
本発明の第１および第２の観点に係る発明の基礎用コンクリートブロックを複数個横方向に連結することにより構成される平面状基礎構造とした。【０００９】  また、本発明の第４の観点に係る発明では、
本発明の第３の観点に係る発明の平面状基礎構造において、前記枠状部材からなる基礎用コンクリートブロックの内部空間に透水性を有する材料を充填した構成の平面状基礎構造とした。
【発明の効果】
【００１０】  上述したような発明の基礎用コンクリートブロック、並びに当該基礎用コンクリートブロックを複数個横方向に連結することにより構成した平面状基礎構造を採用することにより、基礎構造の施工コストを下げ、工期を短縮するとともに、対象とする地盤が軟弱であったとしても杭打ち作業を必要としない、強度安定性の高い基礎構造を提供することが可能となった。
【図面の簡単な説明】
【００１１】
【図１】図１は、第１の実施例に係る基礎用コンクリートブロックの平面図を示したものである。
【図２】図２は、第１の実施例に係る基礎用コンクリートブロックの斜視図を示したものである。
【図３】図３は、第２の実施例に係る基礎用コンクリートブロックの平面図を示したものである。
【図４】図４は、第２の実施例に係る基礎用コンクリートブロックの斜視図を示したものである。
【図５】図５は、第１の実施例に係る連結基礎用コンクリートブロック２０を複数個横方向に連結することにより構成される平面状基礎構造の平面図を示したものである。
【図６】図６は、第１の実施例に係る連結基礎用コンクリートブロック２０を複数個横方向に連結することにより構成される平面状基礎構造の斜視図を示したものである。
【発明を実施するための形態】
【００１２】  図面に基づき本発明の実施形態について説明する。  図１は、第１の実施例に係る基礎用コンクリートブロックの平面図を示したものであり、図２は、第１の実施例に係る基礎用コンクリートブロックの斜視図を示したものである。
【００１３】  第１の実施例に係る基礎用コンクリートブロック１０は、複数のフレーム部材１１が先端部分で互いに連結されて構成され、全体として略矩形状をなす枠体１２と、フレーム部材１１の下面に設けられ、下方へ伸びる突起部１３とから構成されている。
【００１４】  第１の実施例に係る基礎用コンクリートブロック１０の枠体１２（全体として略矩形状をなす部分）と突起部１３とは、通常のコンクリート、鉄筋コンクリート、発泡コンクリート、ボーラスコンクリート、その他透水性のあるコンクリート等を使用した一体的成型品とすることができる。
【００１５】  図１および図２に示す第１の実施例に係る基礎用コンクリートブロック１０では、フレーム部材１１の断面形状は特に限定されるものではない。  フレーム部材１１としては三角形断面、多角形断面、円形断面、楕円形断面等の種々の断面形状のものが使用できるし、また、各フレーム部材１１の長手方向においてその断面形状が変化するものであっても良い。
【００１６】  また、図１および図２に示す第１の実施例に係る基礎用コンクリートブロック１０では、突起部１３は不特定な形状のものとして描かれているが、これに限定されるものではない。  突起部１３としては円柱状、角柱状、円錐状、角錐状、半球状、鼓状、逆角錐状、逆円錐状等の種々の形状のものも使用できる。
【００１７】  更に、図１および図２に示す第１の実施例に係る基礎用コンクリートブロック１０では、突起部１３は枠体１２の下面の任意の位置に、１又は複数の突起部１３を設けるようにすることができる。
【００１８】  このような構成の基礎用コンクリートブロック１０を基礎構造エレメントとして使用することにより、枠体１２および突起部１３に生じる地盤反力および摩擦抵抗力の総和と、基礎用コンクリートブロック１０の自重および基礎用コンクリートブロックが受ける垂直荷重が釣り合い、堅固で安定な基礎構造を構築することができる。  この場合において、突起部１３は、地盤との間の接地圧力を分散させる効果を有しているため、突起部１３を設けない場合に比べて基礎用コンクリートブロック１０が傾斜しにくく安定した基礎構造を提供することが可能となる。
【００１９】  このような構成の基礎用コンクリートブロック１０を基礎構造エレメントとして傾斜地盤に設置した場合、突起部１３によって基礎用コンクリートブロック１０が横ずれしにくくなるという効果も期待できる。  更に、基礎用コンクリートブロック１０は、図１および図２に示すように、枠状になっており、中央部に開口した形状となっている。  このため、地盤からの排水性と地盤への透水性の優れた基礎構造を構築することができる。  特に、基礎用コンクリートブロック１０に発泡コンクリート、又は透水性コンクリートを使用することにより、地盤からの排水性と地盤への透水性は顕著に向上する。
【００２０】  以上、説明した基礎用コンクリートブロック１０は、工場において成形、硬化した後、施工現場に搬送し、設置することにより堅固で安定した基礎構造を構築できることと、フレーム部材１１の断面形状と突起部１３形状を適切に選択することにより、例えば、使用するコンクリートの量を最小化できることから、基礎構造の施工コストを大幅に低減することが可能となる。
【００２１】  次に、第２の実施例に係る基礎用コンクリートブロック２０について説明する。
図３は、第２の実施例に係る基礎用コンクリートブロックの平面図を示したものである。  また、図４は、第２の実施例に係る基礎用コンクリートブロックの斜視図を示したものである。
以下、第２の実施例に係る基礎用コンクリートブロック２０の説明にあたっては、第１の実施例と異なる部分についてのみ説明するものとし、特に説明のない事項については、第１の実施例と同様である。
【００２２】  第２の実施例に係る基礎用コンクリートブロック２０の枠体２２は、複数のフレーム部材２１が先端部分で連結されることにより構成されており、第１の実施例に係る基礎用コンクリートブロック１０を二つ横方向に連結し、一体化した構成となっている。
【００２３】  図３、図４に示す第２の実施例に係る基礎用コンクリートブロック２０では、第１の実施例に係る基礎用コンクリートブロック１０と同様、突起部２３は不特定な形状のものとして描かれているが、これに限定されるものではない。  突起部２３としては、第１の実施例に係る基礎用コンクリートブロック１０と同様、円柱状、角柱状、円錐状、角錐状、半球状、鼓状、逆角錐状、逆円錐状等の種々の形状のものが使用できる。
【００２４】  なお、以上説明した第１および第２の実施例に係る基礎用コンクリートブロック１０、２０では、枠体１２、２２は矩形状または矩形状のものを２つ連結した構成として示されているが、枠体の形状としてはこれらのものに限定されるものではない。  三角形状のものや、多角形状のもの、その他の格子状のもの（例えば、格子戸に用いられるような多種多様な形状のもの）、更には、複数の枠体を横方向に連結し一体化した構成のもの等も枠体の形状として使用することができる。
【００２５】  次に、第１および第２の実施例として説明した基礎用コンクリートブロック１０、２０を複数個連結して構成する基礎構造について、基礎用コンクリートブロック１０を使用した場合を例にとって説明する。  図５、図６は、第１の実施例に係る基礎用コンクリートブロック１０を複数個横方向に連結することにより構成される平面状基礎構造を示したものである。  この場合、隣り合う基礎用コンクリートブロック１０は、基礎構造を構築する現場において互いに連結される。隣り合う基礎用コンクリートブロック１０を互いに連結する方法は特に限定されるものではなく、コンクリートブロックを使用した土木工事において広く普及している連結手法を取り入れることができる。
【００２６】  例えば、基礎用コンクリートブロック１０のフレーム部材１１の適宜の位置に、予め金具を埋め込んでおき、隣り合う基礎用コンクリートブロック１０の金具同士をボルトによって機械的に結合するようにしても良い。
【００２７】  図５、図６に示すように構築した基礎構造の基礎用コンクリートブロック１０の枠体１２の内部空間１４（隣り合うブロック１０によって囲まれた空間も含む）、および基礎用コンクリートブロック１０の下面には、透水性を有する材料を充填して固めるようにしても良い。  透水性を有する材料としては、砕石、残土、砂利、砂、ボーラスなコンクリート等が例示される。
【００２８】  また、図５、図６に示す基礎構造では、基礎用コンクリートブロック１０は、隣り合う基礎用コンクリートブロック１０の境界線に対して線対称となるように配置されているが、基礎用コンクリートブロック１０の配置としては図５、図６に示すものに限定されるものではない。  例えば、基礎用コンクリートブロック１０の境界線に対して線非対称となるように配置する場合の他、隣接する基礎用コンクリートブロック１０を互いに連結することができる範囲において、基礎用コンクリートブロック１０を自由に（ランダムな配置を含む）配置することができる。
【００２９】  以上説明したように、工場において製造された複数の基礎用コンクリートブロック１０を横方向に連結することによって基礎構造を構築することにより、堅固で安定した基礎構造を構築できると共に、現場作業を大幅に簡素化できることから、基礎構造の施工コストを大幅に低減することが可能となる。
【符号の説明】
【００３０】１０、２０      基礎用コンクリートブロック
１１、２１      フレーム部材
１２、２２      枠体
１３、２３      突起部
１４            内部空間
【図１】
2015031147.tif 000003
【図２】
2015031147.tif 000004
【図３】
2015031147.tif 000005
【図４】
2015031147.tif 000006
【図５】
2015031147.tif 000007
【図６】
2015031147.tif 000008